(57)【要約】【課題】飲料容器の出し入れを容易に行ない得るようにすると共に該飲料容器の変形や破損を防止する。【解決手段】容器収容部材１０は、第１の飲料容器を当て受けする第１当受面３０と、この第１の飲料容器より小さい寸法の第２の飲料容器を当て受けする第２当受面３２とを有する。また、容器収容部材１０には容器保持部材４０が揺動可能に装着され、容器当接部４２を第２当受面３２から突出させると共に容器保持部４４を容器収容部１２の側壁面１４から後退させた第１姿勢と、該容器当接部４２を第２当受面３２から没入させると共に該容器保持部４４を側壁面１４から前進させた第２姿勢とに変位する。第１の飲料容器を容器収容部１２へ受容させた場合には容器保持部材４０は第１姿勢に保持され、第２の飲料容器を容器収容部へ受容させた場合には容器保持部材４０は第２姿勢へ揺動する。【選択図】図２
2006001479.tif 000002
【特許請求の範囲】
【請求項１】
上方へ開口した容器収容部(12)を画成した有底筒体状の容器収容部材(10)からなり、第１の飲料容器(B1)またはこれより寸法の小さい第２の飲料容器(B2)を該容器収容部(12)へ受容して保持する容器ホルダであって、
前記容器収容部材(10)の底部をなし、前記容器収容部(12)へ受容した第１の飲料容器(B1)を当て受けする第１当受面(30)と、
同じく前記容器収容部材(10)の底部をなし、前記第１の飲料容器(B1)より小さい寸法で前記第１当受面(30)より低くなるよう形成され、前記容器収容部(12)へ受容した前記第２の飲料容器(B2)を当て受けする第２当受面(32)と、
前記容器収容部材(10)に揺動可能に装着され、一端部をなす容器当接部(42)を第２当受面(32)から突出させると共に他端部をなす容器保持部(44)を容器収容部(12)の内壁面(14)から後退させた第１姿勢、および該容器当接部(42)を第２当受面(32)から没入させると共に該容器保持部(44)を内壁面(14)から前進させた第２姿勢の間で変位可能な容器保持部材(40)とからなり、
前記第１の飲料容器(B1)を前記容器収容部(12)へ受容させた場合には、前記容器保持部材(40)が前記第１姿勢に保持される一方、
前記第２の飲料容器(B2)を前記容器収容部(12)へ受容させた場合には、該第２の飲料容器(B2)が前記容器当接部(42)を押し下げて前記容器保持部材(40)が第２姿勢へ揺動し、これにより前記内壁面(14)から前進した前記容器保持部(44)が当該の第２の飲料容器(B2)の外面を当接支持するよう構成した
ことを特徴とする容器ホルダ。
【請求項２】
前記容器当接部(42)は、前記第１当受面(30)より上方へ突出しないように設定され、前記容器収容部(12)へ前記第１の飲料容器(B1)を受容させた場合に該第１の飲料容器(B1)が容器当接部(42)を押し下げないようにすることで、前記容器保持部材(40)が前記第１姿勢に保持される請求項１記載の容器ホルダ。
【請求項３】
前記容器保持部材(40)は、容器収容部材(10)の所要位置に配設された付勢部材(60)により、前記第１姿勢に付勢保持されている請求項１または２に記載の容器ホルダ。
【発明の詳細な説明】
【技術分野】
【０００１】
本発明は、容器ホルダに関し、更に詳細には、上方へ開口した容器収容部を画成した有底筒体状の容器収容部材からなり、第１の飲料容器またはこれより寸法の小さい第２の飲料容器を該容器収容部へ受容して保持する容器ホルダに関するものである。
【背景技術】
【０００２】
近年生産される殆どの自動車では、乗員室内の快適性向上に寄与する室内装備品の一つとして、コーヒーやジュース等の飲料水を収容したカン、ビン、ペットボトルまたは紙コップ等の種々飲料容器を受容保持可能な容器ホルダが、乗員室内に配設されたインストルメントパネル、フロアコンソール、アームレスト、ドアパネル等の車両内装部材の所要位置(少なくとも乗員の手が届く範囲)に配設されている。この容器ホルダは、例えば前述した車両内装部材に凹設されて上方に開口した有底筒体状の固定タイプ、該車両内装部材に格納されて使用時に引出して使用する可動タイプ等、飲料容器を受容保持し得る容器収容部を画成した様々な形態のものが実用化されている。
【０００３】
また前述した種々飲料容器は、形状、サイズ、材質等が多種に亘っている。このため容器ホルダは、どのような飲料容器にも対応してこれを安定的に受容保持し得る汎用性が要求されるため、例えば特許文献１または特許文献２等に開示された構成のものが実用化されている。図８は、特許文献１に開示された容器ホルダと類似構成のものを概略的に例示した説明断面図であって、この容器ホルダＣＨ１は、上方へ開口した容器収容部１２を画成した有底筒体状の容器収容部材１０からなり、容器収容部材１０の外側壁面には、容器収容部１２に対して出没可能に配設されて常には板バネ２２で突出した状態に付勢保持される容器保持体２０を装備している。従って、容器収容部１２へ受容される飲料容器Ｂに押圧されて容器保持体２０が容器収容部１２から適宜に後退変位することで、外径サイズの異なる種々の飲料容器Ｂの受容を許容し得ると共に、板バネ２２の弾力付勢により飲料容器Ｂを安定的に保持するようになっている。
【０００４】
一方、図９は、特許文献２に開示された容器ホルダを概略的に例示した説明断面図であって、この容器ホルダＣＨ２は、上方へ開口した容器収容部１２を画成した有底筒体状の容器収容部材１０からなり、容器収容部材１０の上部開口部の周囲には、ゴムまたはウレタン等を材質として柔軟性を有する容器保持片２４を装備している。従って、受容される飲料容器Ｂに押圧されて容器保持片２４が下方へ撓曲的に変形することで、寸法の異なる種々の飲料容器Ｂの受容を許容し得ると共に、容器保持片２４の復帰弾力により飲料容器Ｂを安定的に保持するようになっている。
【特許文献１】実開平６−０５０９６９号公報
【特許文献２】特開平８−２９５１６９号公報
【発明の開示】
【発明が解決しようとする課題】
【０００５】
ところで、図８に例示した形態の容器ホルダＣＨ１では、常に容器保持体２０が容器収容部１２へ突出した状態に付勢保持されるため、サイズの大きな飲料容器Ｂであるほど容器保持体２０に対する接触度合が強まって付勢力が増大し、円滑な受容および取り出しを行ない難い問題を内在していた。殊に、紙製や発泡スチロール製のコップ形態を呈する大型の飲料容器Ｂの場合には、それ自体の剛性が高くないために容器保持体２０を適切に後退変位させ得ないこと等に起因して、変形または破損を招来する虞もあった。
【０００６】
また、図９に例示した形態の容器ホルダＣＨ２では、経時的な劣化により容器保持片２４の柔軟性が低くなるため、容器保持片２４自体に割れや破れ等が発生したり、撓曲的に変形した状態のままで硬化してしまい、飲料容器Ｂに対する保持力が低下する問題を内在していた。また、容器保持片２４が前述したゴムやウレタンから形成されているため、外面にカラー印刷等が施されている飲料容器Ｂの場合には、受容および取り出しに際して容器保持片２４が摺擦することに起因して該容器保持片２４へ塗料が付着し易くなり、美観を損ねる等の不都合も発生していた。
【０００７】
従って本発明では、保持を必要とする飲料容器を受容させた際にだけ容器保持体が容器収容部へ延出する構成とすることで、該容器収容部に対する飲料容器の出し入れを容易に行ない得るようにすると共に、該飲料容器の変形や破損を防止し得るようにした容器ホルダを提供することを目的とする。
【課題を解決するための手段】
【０００８】
前記課題を解決し、所期の目的を達成するため本発明は、
上方へ開口した容器収容部を画成した有底筒体状の容器収容部材からなり、第１の飲料容器またはこれより寸法の小さい第２の飲料容器を該容器収容部へ受容して保持する容器ホルダであって、
前記容器収容部材の底部をなし、前記容器収容部へ受容した第１の飲料容器を当て受けする第１当受面と、
同じく前記容器収容部材の底部をなし、前記第１の飲料容器より小さい寸法で前記第１当受面より低くなるよう形成され、前記容器収容部へ受容した前記第２の飲料容器を当て受けする第２当受面と、
前記容器収容部材に揺動可能に装着され、一端部をなす容器当接部を第２当受面から突出させると共に他端部をなす容器保持部を容器収容部の内壁面から後退させた第１姿勢、および該容器当接部を第２当受面から没入させると共に該容器保持部を内壁面から前進させた第２姿勢の間で変位可能な容器保持部材とからなり、
前記第１の飲料容器を前記容器収容部へ受容させた場合には、前記容器保持部材が前記第１姿勢に保持される一方、
前記第２の飲料容器を前記容器収容部へ受容させた場合には、該第２の飲料容器が前記容器当接部を押し下げて前記容器保持部材が第２姿勢へ揺動し、これにより前記内壁面から前進した前記容器保持部が当該の第２の飲料容器の外面を当接支持するよう構成したことを特徴とする。
【発明の効果】
【０００９】
本発明に係る容器ホルダによれば、保持を必要とする第２の飲料容器を受容させた際にだけ容器保持部が容器収容部へ前進する構成としたことで、保持の必要がない第１の飲料容器の容器収容部に対する出し入れを容易に行ない得る利点がある。従って、第１の飲料容器が剛性が低いものであっても、該第１の飲料容器の変形や破損を好適に防止し得る有益な効果を奏する。また容器保持体の容器保持部は、第１の飲料容器には全く接触せず、また第２の飲料容器に対しても摺擦するように接触することがないため、これら飲料容器の外面に印刷された塗料が該容器保持部の先端に付着する不都合が発生しない等の利点もある。
【発明を実施するための最良の形態】
【００１０】
次に、本発明に係る容器ホルダにつき、好適な実施例を挙げて、添付図面を参照しながら以下説明する。なお、図８および図９に既出の部材・部位と同一の部材・部位については、同一の符号を付して説明する。
【実施例】
【００１１】
図１は、本発明の好適実施例に係る容器ホルダを、容器保持体が第１姿勢に保持されている状態で一部破断して例示した概略斜視図であり、図２は、図１のII−II線断面図である。本実施例の容器ホルダＣＨは、上方へ開口した容器収容部１２を画成した有底筒体状の容器収容部材１０からなり、第１の飲料容器Ｂ１(図６)またはこれより寸法の小さい第２の飲料容器Ｂ２(図７)を、該容器収容部１２へ受容して安定的に保持し得るようになっている。ここで、本願で定義する第１の飲料容器Ｂ１とは、例えば５００ｍｌ以上の飲料水を収容可能な紙製または発泡スチロール製の大型のコップ状またはパック状容器であり、また第２の飲料容器Ｂ２は、２５０ｍｌ〜３５０ｍｌのアルミ缶やスチール缶、５００ｍｌ以下のペットボトルやアルミボトル、更にはこれらよりも小型サイズのものが全て含まれる。
【００１２】
これを前提とした本実施例の容器ホルダＣＨは、前述した第１の飲料容器Ｂ１または第２の飲料容器Ｂ２の何れをも安定的に受容保持し得るようにするため、容器収容部材１０の底部をなし、容器収容部１２へ受容した第１の飲料容器Ｂ１を当て受けする第１当受面３０と、同じく容器収容部材１０の底部をなし、第１の飲料容器Ｂ１より小さい寸法(第１の飲料容器Ｂ１の外径より一回り小さい寸法)で第１当受面３０から陥凹的に形成されることで該第１当受面３０より低くなるよう形成され、容器収容部１２へ受容した第２の飲料容器Ｂ２を当て受けする第２当受面３２と、容器収容部材１０に揺動可能に装着され、第２当受面３２へ没入可能に突出する容器当接部４２および該容器収容部材１０の側壁面(内壁面)１４から前進可能に後退する容器保持部４４を有する容器保持部材４０とを有している。そして容器保持部材４０は、前述した第２の飲料容器Ｂ２を容器収容部１２へ受容させた場合にだけ揺動して、容器保持部４４により該第２の飲料容器Ｂ２を安定的に支持するようになっている。
【００１３】
容器収容部１２を画成する容器収容部材１０は、例えばＰＰやＡＢＳ等の合成樹脂材料からインジェクション成形技術に基づき、その底部をなす前述の第１当受面３０および第２当受面３２を段差状に形成した有底円筒状に一体成形されたもので、前述した種々車両内装部材(インストルメントパネル、フロアコンソール、アームレスト、ドアパネル)の所要位置に取付固定されるようになっている。そして第２当受面３２は、第１当受面３０に対して一方向(図２では左側)へ偏心させた位置に形成されており、第１当受面３０は部位毎に幅が異なっている。また、容器収容部材１０の円筒状の側壁面１４は、第１当受面３０より上側部分が、前述した第１の飲料容器Ｂ１の外形形状に基づいて適宜角度をつけた上方拡開形状を呈しており、この第１当受面３０より下側部分は、前述した第２の飲料容器Ｂ２の形状に基づいて略垂直を呈している。
【００１４】
そして、第１当受面３０が最大幅となっている部位に対応した外側裏面には、図２および図３に例示するように、所要間隔をおいて立設された一対の支持片５２,５２からなる保持体支持部５０が設けられており、前述した容器保持部材４０を揺動可能に支持するための支持軸５８を架設するための軸支孔５４が、両支持片５２,５２に穿設されている。また、保持体支持部５０に対応する第２当受面３２には、前述した容器保持部材４０の一端部をなす容器当接部４２の挿通を許容する底面開口部３４が形成されていると共に、この保持体支持部５０に対応する側壁面１４の部分には、容器保持部材４０の他端部をなす容器保持部４４の挿通を許容する矩形状の側面開口部３６が形成されている。更に、前述した各支持片５２,５２の間には、後述する付勢部材６０を取付固定するための取付部５６が形成されている。
【００１５】
容器保持部材４０は、図２および図３に例示するように、適宜の合成樹脂(ＰＰやＡＢＳ等)を材質としたインジェクション成形部材であって、略Ｌ字形を呈する本体杆部４６の下側先端に前述した容器当接部４２が略直線状に延設される一方、該本体杆部４６の上側先端に前述した容器保持部４４が略直角に折曲した形状に延設されている。そして、本体杆部４６の側壁部分における所要位置に、前述した支持軸５８の遊嵌的な挿通を許容する挿通孔４８,４８が穿設されており、これら挿通孔４８,４８に挿通させた支持軸５８を前述した支持片５２,５２の軸支孔５４,５４へ架設することで、容器収容部材１０の保持体支持部５０に対して容器保持部材４０が揺動可能に取り付けられるようになっている。このような容器保持部材４０は、一端部をなす容器当接部４２を底面開口部３４を介して第２当受面３２から突出させると共に他端部をなす容器保持部４４を側壁面１４から後退させた第１姿勢(図１、図２)と、該容器当接部４２を第２当受面３２へ没入させると共に該容器保持部４４を側面開口部３６を介して側壁面１４から前進させた第２姿勢(図４、図５)との間で姿勢変位可能となっている。
【００１６】
なお容器当接部４２は、容器保持部材４０が第１姿勢に保持された状態において、底面開口部３４を介して最大に突出するようになっているが、図２に例示したように、この最大突出状態であっても第１当受面３０より上方へ突出しないように設定されている。これにより、容器収容部１２へ前述した第１の飲料容器Ｂ１を受容させた際には、この第１の飲料容器Ｂ１が第１当受面３０に当て受けられて容器当接部４２を押し下げないようになるため、容器保持部材４０は第１姿勢に保持されたままとなる。一方、容器保持部４４へ前述した第２の飲料容器Ｂ２を受容させた際には、この第２の飲料容器Ｂ２が第２当受面３２へ当て受けられる過程で容器当接部４２を押し下げるようになり、容器保持部材４０は第２姿勢へ揺動変位するようになっている。
【００１７】
前述した容器保持部材４０は、容器収容部材１０に形成された前述の取付部５６に取付固定される付勢部材６０により、図１および図２に例示した前述の第１姿勢に付勢保持されている。この付勢部材６０は、例えば帯状バネ部材を所要形状に屈曲成形した板バネであって、前述した取付部５６に係合する取付片部６２と、容器保持部材４０の本体杆部４６に係合する支持片部６４とから構成されている。従って、取付部５６に対する取付片部６２の係合下に容器収容部材１０へ取付けられた付勢部材６０は、常には支持片部６４が本体杆部４６へ弾力的に係合していることで、容器保持部材４０を第１姿勢に付勢保持するようになる。また、前述した容器当接部４２を上方から押圧した際には、支持片部６４が容器収容部材１０へ近接するように弾性変形することで、容器保持部材４０が第２姿勢へ揺動変位するのを許容するようになっている。なお、容器当接部４２の先端側には、第２当受面３２の裏側へ当接する揺動規制片４９が突設されており、付勢部材６０の付勢力を受けている容器保持部材４０が第１姿勢から反対方向(図２の時計方向)へ揺動するのを規制するようになっている。
【００１８】
次に、前述のように構成された本実施例の容器ホルダＣＨの作用につき、図６および図７を引用して説明する。本実施例の容器ホルダＣＨは、インストルメントパネル、フロアコンソール、アームレスト、ドアパネル等の車両内装部材７０の所要位置に、図示しないビス等を利用して取付固定されて実施に供される。
【００１９】
そして、前述した第１の飲料容器Ｂ１を上方から容器収容部１２へ受容させる場合には、図６(ａ)および図６(ｂ)に例示するように、この第１の飲料容器Ｂ１は第１当受面３０に当て受けられて容器当接部４２を押し下げないため、容器保持部材４０は第１姿勢に保持されたままとなる。そして第１の飲料容器Ｂ１は、図６(ｂ)に例示したように、容器保持部材４０が第１姿勢に保持されたままであっても、容器収容部材１０の側壁面１４により安定的な受容保持が図られる。しかも、第１の飲料容器Ｂ１を容器収容部１２へ受容させるに際しては、図６(ａ)に例示したように、容器保持部材４０が第１姿勢に保持されて容器当接部４２が側壁面１４から後退(退避)しているため、第１の飲料容器Ｂ１の円滑な受容が図られる。同様に、第１の飲料容器Ｂ１を容器収容部１２から取り出すに際しても、図６(ａ)に例示したように、容器保持部材４０が第１姿勢に保持されて容器当接部４２が側壁面１４から退避しているため、第１の飲料容器Ｂ１の円滑な取り出しが図られる。
【００２０】
一方、前述した第２の飲料容器Ｂ２を上方から容器収容部１２へ受容させる場合には、図７(ａ)および図７(ｂ)に例示するように、この第２の飲料容器Ｂ２が第２当受面３２へ当て受けられる過程で容器当接部４２を押し下げるようになり、容器保持部材４０は第１姿勢から第２姿勢へ揺動変位し、容器保持部４４が側面開口部３６を介して側壁面１４から前進して延出するようになる。これにより第２の飲料容器Ｂ２は、図７(ｂ)に例示したように、容器収容部材１０の側壁面１４および該側壁面１４から延出した容器保持部４４により挟持されて安定的な受容保持が図られる。しかも、第２の飲料容器Ｂ２を容器収容部１２へ受容させるに際しては、図７(ａ)に例示したように、その受容途中においては容器保持部材４０が第１姿勢に保持されて容器当接部４２が側壁面１４から退避しており、この第２の飲料容器Ｂ２が容器当接部４２に接触してから容器保持部４４が延出するようになるから、該容器保持部４４が全く邪魔にならず第２の飲料容器Ｂ２の円滑な受容が図られる。同様に、第１の飲料容器Ｂ１を容器収容部１２から取り出すに際しても、図７(ａ)に例示したように、この第２の飲料容器Ｂ２を把持しながら引き上げると同時に付勢部材６０の付勢力により容器保持部材４０が揺動を開始し、容器保持部４４が後退して第２の飲料容器Ｂ２から離間するようになるため、容器保持部４４が第２の飲料容器Ｂ２の外面に摺擦することがなく、該第２の飲料容器Ｂ２の取り出しに支障を来たすことがない。
【００２１】
このように本実施例の容器ホルダＣＨでは、第２の飲料容器Ｂ２を保持するために配設された容器保持部材４０の容器保持部４４が、常には容器収容部１２から後退するように位置していて、第１の飲料容器Ｂ１を容器収容部１２へ受容させる際には退避状態に保持される一方、第２の飲料容器Ｂ２を容器収容部１２へ受容させる際にだけ容器収容部１２へ前進して該第２の飲料容器Ｂ２を当接保持するようになる。すなわち、保持が必要とされる第２の飲料容器Ｂ２を受容させた際にだけ容器保持部４４が容器収容部１２へ前進して延出する構成としたことで、保持の必要がない第１の飲料容器Ｂ１の容器収容部１２に対する出し入れを容易に行ない得る。従って、第１の飲料容器Ｂ１が紙製または発泡スチロール製等の剛性が低いものであっても、該第１の飲料容器Ｂ１の変形や破損を好適に防止し得る。一方、第２の飲料容器Ｂ２を受容させる場合であっても、容器収容部１２へ受容が略完了する直前に容器保持部４４が延出するようになると共に、また容器収容部１２から取り出し始めた直後に容器保持部４４が後退するようになるため、容器収容部１２に対する該第２の飲料容器Ｂ２の出し入れも容易に行ない得る。
【００２２】
また容器保持部材４０は、合成樹脂製のインジェクション成形部材であるから、容器ホルダＣＨの使用期間中に劣化等による機能低下は殆どない。そして容器保持部材４０の容器保持部４４は、第１の飲料容器Ｂ１には全く接触せず、また第２の飲料容器Ｂ２に対しても摺擦するように接触することがないため、これら飲料容器Ｂ１,Ｂ２の外面に印刷された塗料が該容器保持部４４の先端に付着することがない。
【００２３】
なお容器保持部材４０の形状や容器収容部材１０に対する取付態様は、前述した実施例のものに限定されるものではなく、第２の飲料容器Ｂ２を容器収容部１２へ受容させるに際し、容器保持部４４が該第２の飲料容器Ｂ２を適切に当接保持し得るようになれば、これ以外の形状や取付態様としてもよい。
【００２４】
また前述した実施例では、第１の飲料容器Ｂ１とこれより寸法の小さい第２の飲料容器Ｂ２との２種類に分類して、容器収容部材１０の底部を第１当受面３０と第２当受面３２とを段差状に形成した場合を例示した。しかしながら、第２の飲料容器Ｂ２に分類される容器の寸法(外径サイズ)が複数種類ある場合は、第２当受面３２に対して更に第３当受面を陥凹的に形成して低くすると共に、これに応じて容器保持部材４０の揺動変位量を大きく設定して第３姿勢へ変位し得るように構成すれば、外径・サイズが異なる種々の第２の飲料容器Ｂ２に対する受容保持機能の向上が期待できる。
【００２５】
また、容器保持部材４０を第１姿勢へ付勢保持させる付勢部材６０は、前述した板バネ形態のものに限定されるものではなく、例えば前述した支持軸５８に外装される捻りバネ形態のもの、容器保持部材４０の外面と本体杆部４６との間に架設される圧縮バネ形態のもの、第１当受面３０の外部底面と本体杆部４６との間に架設される引張りバネ形態のもの等であってもよい。
【００２６】
更に、前述した容器保持部材４０を第１姿勢に保持させる形態は、前述した付勢部材６０によるものに限定されるものではない。例えば、容器保持部材４０の本体杆部４６における略垂直部位等(支持軸５８よりも容器保持部４４の側)に、(ａ)別部材のバランスウエイトを装着する、(ｂ)本体杆部４６の成形時に膨出部を一体成形する、等の方法により、支持軸５８を中心として容器保持部４４側が容器当接部４２側よりも重くなるようバランス設定すれば、前述した付勢部材６０による付勢力によらずとも容器保持部材４０を第１姿勢へ保持させることが可能である。
【産業上の利用可能性】
【００２７】
本発明に係る容器ホルダは、上方へ開口した容器収容部を画成した有底筒体状の容器収容部材からなり、第１の飲料容器またはこれより寸法の小さい第２の飲料容器を該容器収容部へ受容して保持する容器ホルダである。このような容器ホルダは、例えばインストルメントパネル、フロアコンソール、アームレスト、ドアパネル等の車両内装部材に設置して実施に供されるから、このような車両内装部材を配設した車両等に好適に実施可能である。
【図面の簡単な説明】
【００２８】
【図１】本発明の好適実施例に係る容器ホルダを、容器保持体が第１姿勢に保持されている状態で一部破断して例示した概略斜視図である。
【図２】図１のII−II線断面図である。
【図３】容器ホルダの分解斜視図である。
【図４】図１に例示した容器ホルダを、容器保持体が第２姿勢に変位した状態で一部破断して例示した概略斜視図である。
【図５】図４のＶ−Ｖ線断面図である。
【図６】(ａ)は、容器収容部へ第１の飲料容器を受容させる状態(または取り出す状態)を示した説明断面図であり、(ｂ)は、容器収容部へ第１の飲料容器を受容保持させた状態を示した説明断面図であって、容器保持体が常に第１姿勢に保持されていることを示している。
【図７】(ａ)は、容器収容部へ第２の飲料容器を受容させる状態(または取り出す状態)を示した説明断面図であり、(ｂ)は、容器収容部へ第２の飲料容器を受容保持させた状態を示した説明断面図であって、容器保持体が第２姿勢に揺動変位して容器保持部が第２の飲料容器を当接保持することを示している。
【図８】従来実施に係る容器ホルダを例示した説明断面図である。
【図９】従来実施に係る別形態の容器ホルダを例示した説明断面図である。
【符号の説明】
【００２９】
１０  容器収容部材
１２  容器収容部
１４  側壁面(内壁面)
３０  第１当受面
３２  第２当受面
４０  容器保持部材
４２  容器当接部
４４  容器保持部
６０  付勢部材
Ｂ１  第１の飲料容器
Ｂ２  第２の飲料容器
【図１】
2006001479.tif 000003
【図２】
2006001479.tif 000004
【図３】
2006001479.tif 000005
【図４】
2006001479.tif 000006
【図５】
2006001479.tif 000007
【図６】
2006001479.tif 000008
【図７】
2006001479.tif 000009
【図８】
2006001479.tif 000010
【図９】
2006001479.tif 000011